【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
複数の被管理装置を管理する管理装置であって、
前記複数の被管理装置との間で情報の授受を行う通信手段と、
特定の状態となった被管理装置が発生した場合、前記特定の状態となった被管理装置との間で情報の授受を行う際の通信間隔を、前記被管理装置が前記特定の状態となる前の通信間隔より早めると共に、前記特定の状態となった被管理装置以外の所定の被管理装置との間で情報の授受を行う際の通信間隔を、前記被管理装置が前記特定の状態となる前より遅くする制御手段とを備えることを特徴とする管理装置。
【請求項２】
前記制御手段は、前記特定の状態となった被管理装置に対し、変更した通信間隔を変更前の通信間隔に戻す日時である通信間隔復帰日時に達するまで前記被管理装置が前記特定の状態となる前の通信間隔より早い通信間隔で通信を行うよう指示を出し、前記特定の状態となった被管理装置以外の前記所定の被管理装置に対し、前記通信間隔復帰日時に達するまで前記被管理装置が前記特定の状態となる前の通信間隔より遅い通信間隔で通信を行うよう指示を出すことを特徴とする請求項１記載の管理装置。
【請求項３】
前記複数の被管理装置にそれぞれ設定された通信優先順位を記憶する記憶手段を備え、
前記制御手段は、前記特定の状態となった被管理装置以外の前記所定の被管理装置として、前記記憶手段に記憶された通信優先順位が低い被管理装置を選定することを特徴とする請求項１記載の管理装置。
【請求項４】
前記被管理装置とは、用紙に画像を形成する画像形成装置であり、
前記特定の状態とは、前記画像形成装置の機構に障害が発生した状態、前記画像形成装置で用紙詰まりが発生した状態、前記画像形成装置が新規に設置された状態を含むことを特徴とする請求項１記載の管理装置。
【請求項５】
複数の被管理装置を管理する管理装置の通信間隔制御方法であって、
特定の状態となった被管理装置が発生したことを検出し、
特定の状態となった被管理装置が発生した場合、前記特定の状態となった被管理装置との間で情報の授受を行う際の通信間隔を、前記被管理装置が前記特定の状態となる前の通信間隔より早めると共に、前記特定の状態となった被管理装置以外の所定の被管理装置との間で情報の授受を行う際の通信間隔を、前記被管理装置が前記特定の状態となる前より遅くすることを特徴とする通信間隔制御方法。
【請求項６】
複数の被管理装置を管理する管理装置の通信間隔制御方法をコンピュータに実行させるためのプログラムであって、
前記複数の被管理装置との間で情報の授受を行う通信手順と、
特定の状態となった被管理装置が発生した場合、前記特定の状態となった被管理装置との間で情報の授受を行う際の通信間隔を、前記被管理装置が前記特定の状態となる前の通信間隔より早めると共に、前記特定の状態となった被管理装置以外の所定の被管理装置との間で情報の授受を行う際の通信間隔を、前記被管理装置が前記特定の状態となる前の通信間隔より遅くする制御手順とをコンピュータに実行させるためのプログラム。
【手続補正２】
【補正対象書類名】明細書
【補正対象項目名】発明の名称
【補正方法】変更
【補正の内容】
【発明の名称】管理装置、通信間隔制御方法、及びプログラム
【手続補正３】
【補正対象書類名】明細書
【補正対象項目名】０００１
【補正方法】変更
【補正の内容】
【０００１】
本発明は、複数の画像形成装置の稼動状況を管理する場合に適用される管理装置、通信間隔制御方法、及びプログラムに関する。
【手続補正４】
【補正対象書類名】明細書
【補正対象項目名】０００４
【補正方法】変更
【補正の内容】
【０００４】
本発明の目的は、ネットワークのトラフィックや管理装置側での通信負荷を増大させることなく、特定の画像形成装置との間の通信頻度を上げることで、画像形成装置のより詳細な稼働情報を取得することを可能とした管理装置、通信間隔制御方法、及びプログラムを提供することにある。
【手続補正５】
【補正対象書類名】明細書
【補正対象項目名】０００５
【補正方法】変更
【補正の内容】
【０００５】
上述の目的を達成するために、本発明の管理装置は、複数の被管理装置を管理する管理装置であって、前記複数の被管理装置との間で情報の授受を行う通信手段と、特定の状態となった被管理装置が発生した場合、前記特定の状態となった被管理装置との間で情報の授受を行う際の通信間隔を、前記被管理装置が前記特定の状態となる前の通信間隔より早めると共に、前記特定の状態となった被管理装置以外の所定の被管理装置との間で情報の授受を行う際の通信間隔を、前記被管理装置が前記特定の状態となる前より遅くする制御手段とを備えることを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
また、本発明の管理装置は、前記制御手段は、前記特定の状態となった被管理装置に対し、変更した通信間隔を変更前の通信間隔に戻す日時である通信間隔復帰日時に達するまで前記被管理装置が前記特定の状態となる前の通信間隔より早い通信間隔で通信を行うよう指示を出し、前記特定の状態となった被管理装置以外の前記所定の被管理装置に対し、前記通信間隔復帰日時に達するまで前記被管理装置が前記特定の状態となる前の通信間隔より遅い通信間隔で通信を行うよう指示を出すことを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
更に、本発明は、前記管理装置がインターネットを介して前記複数の被管理装置を管理すると共に、複数の画像形成装置から前記管理装置に対し、累積画像形成枚数や画像形成装置の機構の作動回数等のカウンタ値を示す稼動情報を定期的に電子メールで送信し、障害発生や用紙詰まり多発等を示す異常状態情報を不定期的に電子メールで送信する構成としてもよい。
【手続補正１１】
【補正対象書類名】明細書
【補正対象項目名】００１３
【補正方法】変更
【補正の内容】
【００１３】
更に、本発明は、前記管理装置の前記記憶手段は、複数の画像形成装置にそれぞれ設定された通信優先順位と、複数の画像形成装置から前記管理装置に対し定期的に前記稼動情報を送信する際の通信間隔と、前記通信間隔復帰日時とを、前記複数の画像形成装置のそれぞれの識別番号に対応付けて記憶する構成としてもよい。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
また、本発明によれば、特定の状態となった被管理装置に対し、変更した通信間隔を変更前の通信間隔に戻す日時である通信間隔復帰日時に達するまで前記被管理装置が前記特定の状態となる前の通信間隔より早い通信間隔で通信を行うよう指示を出し、前記特定の状態となった被管理装置以外の前記所定の被管理装置に対し、前記通信間隔復帰日時に達するまで前記被管理装置が前記特定の状態となる前の通信間隔より遅い通信間隔で通信を行うよう指示を出すため、特定の状態となった被管理装置の稼働情報をよりきめ細かく取得することが可能となり、当該被管理装置の特定の状態となった個所や原因の特定、特定の状態の発生傾向の把握、特定の状態からの復旧などに役立てることができる。また、管理装置の通信負荷の増大を防ぐことができる。
【手続補正１４】
【補正対象書類名】明細書
【補正対象項目名】００１８
【補正方法】削除
【補正の内容】
【手続補正１５】
【補正対象書類名】明細書
【補正対象項目名】００２０
【補正方法】削除
【補正の内容】